(57)【要約】【課題】  状況や音声に対応する動作を行う携帯電話機を提供する。【解決手段】  携帯電話機に対して、温度センサ１５、においセンサ１６、湿度センサ１７、赤外線センサ１８、加速度センサ１９等の各種センサを設け、制御部２２が、この各検出出力に基づいて当該携帯電話機の状況を総合的に判別し、この判別した状況に応じた動作制御を行う。例えば、加速度センサ１９により所定値以上の衝撃が検出された場合、「痛い」等の音声を出力制御する。また、温度センサにより所定温度以上或いは所定温度以下の温度が検出された場合、「暑い」、「寒い」等の音声と共に、エアコンディショナ装置の電源を投入するか否かを問う音声メッセージを出力制御し、ユーザにより「電源オン」等の該電源投入を指示する音声が発せられた場合、該電源をオン制御するための制御コマンドを近距離無線送信して、エアコンディショナ装置を遠隔操作する。【選択図】  図１
2007135008.tif 000002
【特許請求の範囲】
【請求項１】
各種のセンサ手段により現在の状況を検出する現状検出手段と、
各種の状況と、この状況に対応する音声とが関連付けられて記憶された状況判別テーブルと、
上記各種の状況に対応する音声が記憶された音声記憶手段と、
上記現状検出手段により現在の状況が検出された際に、該検出された現在の状況に対応する音声を上記状況判別テーブルから検出し、この検出した音声を上記音声記憶手段から読み出して音声出力手段を介して出力制御する制御手段と
を有する携帯端末装置。
【請求項２】
請求項１に記載の携帯端末装置であって、
ユーザの発声した音声を解析する音声認識手段を有し、
上記音声記憶手段には、ユーザからの問い掛けに応答するための応答音声が記憶されており、
上記音声認識手段は、上記センサ手段の一つとして設けられているマイクロホン装置により集音されたユーザからの問い掛けの音声を解析し、
上記制御手段は、上記音声認識手段からの解析結果に基づいて、ユーザからの問い掛けの音声の語意を認識し、このユーザからの問い掛けの音声に対応する応答音声を、上記音声記憶手段から読み出して上記音声出力手段を介して出力制御すること
を特徴とする携帯端末装置。
【請求項３】
請求項２に記載の携帯端末装置であって、
外部機器を遠隔操作するための遠隔操作手段と、
上記外部機器を遠隔操作するための遠隔操作信号を送信するための遠隔操作信号送信手段とを有し、
上記制御手段は、上記音声認識手段からの解析結果に基づいて、外部機器の遠隔操作を指示する音声の語意を認識した際に、該外部機器を遠隔操作するための遠隔操作信号を送信するように上記遠隔操作信号送信手段を送信制御すること
を特徴とする携帯端末装置。
【請求項４】
請求項３に記載の携帯端末装置であって、
ユーザのスケジュールが登録されたスケジュール帳と、
現在時刻をカウントするタイマとを有し、
上記制御手段は、上記タイマによりカウントされる現在時刻に基づいて、上記スケジュール帳に登録されている上記外部機器の遠隔操作に対応するスケジュールを監視し、上記タイマによりカウントされる現在時刻が、上記スケジュールに対応する時刻或いは上記スケジュールに対応する時刻に対して所定時間前の時刻となった際に、該スケジュールに対応する外部機器を遠隔操作するための遠隔操作信号を送信するように上記遠隔操作信号送信手段を送信制御すること
を特徴とする携帯端末装置。
【請求項５】
請求項２から請求項４のうち、いずれか一項に記載の携帯端末装置であって、
緊急連絡先を示す電子メールアドレス或いは電話番号が記憶された緊急連絡先記憶手段を有し、
上記制御手段は、上記現状検出手段によりユーザの緊急を示す状況が検出された際に、上記音声記憶手段からユーザの無事を問う音声メッセージを読み出して上記音声出力手段を介して出力制御し、この音声メッセージに対して無応答であった場合に、上記緊急連絡先記憶手段に記憶されている電子メールアドレス宛に、ユーザの緊急を示す電子メールを自動的に作成して送信するように送信手段を送信制御し、或いは上記緊急連絡先記憶手段に記憶されている電話番号に電話を掛け、電話回線が確立された際に、ユーザの緊急を示す音声メッセージを自動的に送信するように上記送信手段を送信制御すること
を特徴とする携帯端末装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、ノート型のパーソナルコンピュータ装置等の携帯機器に適用して好適な携帯端末装置に関し、特に現在の状況を自動的に判別し、該現在の状況に対応する動作を行うようにした携帯端末装置に関する。
【背景技術】
【０００２】
特開２００４−２２８９７６号の公開特許公報（特許文献１）に、機器に衝撃が加わることで破損が生じた際に、これをユーザに知らせる機能を備えた携帯型電子機器が開示されている。この携帯型電子機器の場合、カメラが加速度センサを備えており、この加速度センサで一定強度以上の衝撃を感知した際に、レンズ部、撮像部、信号処理部、記録部、及び表示部が正常に機能するか否かのセルフテストを実行する。このセルフテストにより、破損箇所を検出した場合には、破損が生じたことを示すメッセージを表示部に表示すると共に、音声出力部から警報音を出力することで、該破損の発生をユーザに知らせるようになっている。
【０００３】
【特許文献１】特開２００４−２２８９７６号公報（第６頁：図１、図２）
【発明の開示】
【発明が解決しようとする課題】
【０００４】
しかし、特許文献１に開示されている携帯型電子機器の場合、セルフテストを実行することで実際に故障が発生していた場合にユーザに対して警告を発するようになっている。このため、故障に至るような衝撃が加わった場合でも、実際に故障が発生しなかった場合には、ユーザに対して何ら警告が発っせられることはない。機器に対して故障に至るような衝撃が加わった場合、或いは故障に至るような衝撃が加わっている場合には、故障に至る前にユーザに警告を発し、該故障の発生を防止する措置をとらせることが好ましい。
【０００５】
本発明は上述の課題に鑑みてなされたものであり、故障に繋がるような状況を検出してユーザに警告することができるような携帯端末装置の提供を目的とする。
【課題を解決するための手段】
【０００６】
本発明に係る携帯端末装置は、上述の課題を解決するための手段として、
各種のセンサ手段により現在の状況を検出する現状検出手段と、
各種の状況と、この状況に対応する音声とが関連付けられて記憶された状況判別テーブルと、
上記各種の状況に対応する音声が記憶された音声記憶手段と、
上記現状検出手段により現在の状況が検出された際に、該検出された現在の状況に対応する音声を上記状況判別テーブルから検出し、この検出した音声を上記音声記憶手段から読み出して音声出力手段を介して出力制御する制御手段と
を有する。
【０００７】
このような本発明に係る携帯端末装置は、現状検出手段により現在の状況が検出された際に、制御手段が、該検出された現在の状況に対応する音声を上記状況判別テーブルから検出し、この検出した音声を上記音声記憶手段から読み出し、この音声を音声出力手段を介して出力制御する。これにより、上記状況検出手段により、例えば一定以上の衝撃が検出された場合に「痛い」等の音声を出力することができ、或いは上記状況検出手段により、一定以上の圧力が検出された場合に「苦しい」等の音声を出力することができる。これにより、故障に繋がるような状況を検出してユーザに警告することができる。
【発明の効果】
【０００８】
本発明は、機器の故障に繋がるような状況を検出してユーザに警告することができる。
【発明を実施するための最良の形態】
【０００９】
本発明は、携帯電話機に適用することができる。
【００１０】
［携帯電話機の構成］
この本発明の実施の形態となる携帯電話機は、図１に示すように基地局との間で無線通信を行うアンテナ１及び通信回路２と、着信音や受話音声の他、後述する警告音や警告メッセージ等の音響出力を得るためのスピーカ部３と、送話音声等を集音するためのマイクロホン部４と、画像（動画像、静止画像等）や文字等を表示するための表示部５と、所定の入力操作を行うための操作部６とを有している。
【００１１】
また、この携帯電話機は、発着信等を光で知らせるための発光部７（LED：Light Emitting Diode）と、所望の被写体の静止画像或いは動画像を撮像するためのカメラ部８と、当該携帯電話機の筐体を振動させて発着信等をユーザに知らせるためのバイブレーションユニット９と、テレビジョン受像機、録画装置、エアコンディショナ装置等の外部機器を遠隔操作するための遠隔操作信号を送信するための、ブルートゥース（Bluetooth：登録商標）や赤外線通信機能（IrDA：Infrared Data Association）等の近距離無線通信アンテナ１０及び近距離無線通信ユニット１１とを有している。
【００１２】
また、この携帯電話機は、時刻をカウントするタイマ１２と、通信処理を行うための通信処理プログラム（コミュニケーションプログラム）や各種アプリケーションプログラムの他、後述する警告音や警告メッセージ等の音声データ、スケジュール帳、電話帳、発着信した電子メールのデータ、電話や電子メールの発着信履歴等が記憶されたメモリ１３と、複数の各種センサ１５〜２１と、これら各種センサ１５〜２１の検出出力から判断される当該携帯電話機の状況と各状況に対応して出力する音声データとの関係がテーブル化された状況判別テーブル１４と、当該携帯電話機全体の動作を制御する制御部２２とを有している。
【００１３】
上記メモリ１３に記憶されているアプリケーションプログラムとしては、当該携帯電話機の状況等に対応する音声出力制御等を行うための状況対応制御プログラムや、マイクロホン部４で集音された音声を認識するための音声認識プログラムや、上記近距離無線通信ユニット１１を通信制御するための近距離無線通信プログラムや、カメラ部８を撮像制御するためのカメラ制御プログラムや、上記外部機器を遠隔操作するための遠隔操作プログラム等が記憶されている。
【００１４】
また、上記各種センサとしては、当該携帯電話機の周囲の温度を検出する温度センサ１５と、当該携帯電話機の周囲の臭いを検出する臭いセンサ１６と、当該携帯電話機の周囲の湿度を検出する湿度センサ１７と、当該携帯電話機近辺の人や物の動きを検出する赤外線センサ１８と、当該携帯電話機に加わった衝撃を検出する加速度センサ１９と、当該携帯電話機に加わった圧力を検出する圧力センサ２０と、当該携帯電話機に対する人や物の接触を検出するタッチセンサ２１とが設けられている。
【００１５】
なお、後述するが当該実施の形態の携帯電話機の場合、制御部２２は、マイクロホン部４で検出された音声を認識し、該認識した音声に対応する音声を出力制御するようになっている。また、制御部２２は、スケジュール帳からユーザのスケジュールや所望のテレビジョン放送の放映開始時刻を検出して、スケジュールの実行やテレビジョン放送の視聴、録画を促すようになっている。このため、マイクロホン部４は、音声センサとして機能し、制御部２２は、スケジュールセンサやテレビジョン放送センサ等の一種のセンサとして機能することとなる。
【００１６】
［携帯電話機の動作］
このような実施の形態の携帯電話機は、制御部２２がメイン電源の投入を検出すると、図１のメモリ１３に記憶されている状況対応制御プログラムに基づいて図２に示すフローチャートの処理をスタートさせる。この図２のフローチャートの処理をスタートさせると、制御部２２は、上記各センサ１５〜２１から各検出出力を取り込むと共に、スケジュール帳に登録されているスケジュールやテレビジョン放送の放送開始時刻を検出し、これら各検出出力に基づいて状況判別テーブル１４を参照し、当該携帯電話機の現在の状況を総合的に判別する。そして、この判別した状況に対応して、例えば以下に説明するように各種制御を実行する。
【００１７】
〔加速度センサ〕
具体的には、図３は、上記状況判別テーブル１４の模式図である。この図３からわかるように、制御部２２が各検出出力を取り込んだ結果、例えば加速度センサ１９の検出出力のみが所定値以上の値を示していた場合、制御部２２は、この状況判別テーブル１４から、当該携帯電話機の状況は「第１の状況」であると判別する。
【００１８】
すなわち、各検出出力のうち、加速度センサ１９の検出出力のみが所定値以上の値を示すということは、当該携帯電話機に対して衝撃が加わったことを意味する。このため、制御部２２は、状況判別テーブル１４に記憶されている当該状況に対応する制御内容に基づいて、例えば「痛い」等の音声データをメモリ１３から読み出し、これをスピーカ部３を介して出力制御する。これにより、当該携帯電話機に対して衝撃が加わったタイミングで、スピーカ部３から「痛い」等の音声が出力されることとなる。そして、この音声を聴いたユーザは、衝撃が加わらない場所に当該携帯電話機を移動させる等の措置をとることとなる。
【００１９】
〔温度センサ〕
各検出出力のうち、温度センサ１５の検出出力のみが所定値以上の値を示すということは、当該携帯電話機の周囲の温度が高いことを意味する。このため、制御部２２は、状況判別テーブル１４に記憶されている当該状況に対応する制御内容に基づいて、例えば「暑い」等の音声データをメモリ１３から読み出し、これをスピーカ部３を介して出力制御する。これにより、当該携帯電話機の周囲の温度が例えば２７度等の所定の温度となったタイミングで、スピーカ部３から「暑い」等の音声が出力されることとなる。
【００２０】
また、各検出出力のうち、温度センサ１５の検出出力のみが所定値以下の値を示すということは、当該携帯電話機の周囲の温度が低いことを意味する。このため、制御部２２は、状況判別テーブル１４に記憶されている当該状況に対応する制御内容に基づいて、例えば「寒い」等の音声データをメモリ１３から読み出し、これをスピーカ部３を介して出力制御する。これにより、当該携帯電話機の周囲の温度が例えば１９度等の所定の温度となったタイミングで、スピーカ部３から「寒い」等の音声が出力されることとなる。ユーザは、このように「暑い」或いは「寒い」等の音声が出力されることで気温の高さや気温の低さを体感すると、当該携帯電話機を涼しい場所や暖かい場所に移動したり、後述するようにエアコンディショナ装置を遠隔操作して気温を調整する等の措置をとることとなる。
【００２１】
〔湿度センサ〕
各検出出力のうち、湿度センサ１７の検出出力のみが所定値以上の値を示すということは、当該携帯電話機が濡れていることを意味する。このため、制御部２２は、状況判別テーブル１４に記憶されている当該状況に対応する制御内容に基づいて、例えば「濡れています」等の音声データをメモリ１３から読み出し、これをスピーカ部３を介して出力制御する。これにより、当該携帯電話機が水等に濡れた状態となったタイミングで、スピーカ部３から「濡れています」等の音声が出力されることとなる。ユーザは、このように「濡れています」等の音声が出力されることで、当該携帯電話機が濡れている状態であると判断すると、濡れている箇所を布で拭き取る等の措置をとることとなる。
【００２２】
〔スケジュールセンサ〕
制御部２２は、タイマ１２でカウントされる現在時刻に基づいて、メモリ１３のスケジュール帳に登録されているスケジュールを常時監視しており、現在時刻がこのスケジュールの実行時刻間近となった際に、所定の音声の出力制御等を行うようになっている。
【００２３】
例えば、スケジュール帳に所望のテレビジョン放送の放送開始時刻が登録されていた場合、制御部２２は、タイマ１２でカウントされる現在時刻に基づいて、このテレビジョン放送番組の放送開始時刻を監視し、現在時刻が、この放送開始時刻の例えば１０分前となったことを検出すると、図３の状況判別テーブル１４に記憶されている第５の状況と判別し、このタイミングで例えば「テレビがはじまります」等の音声を出力するようにスピーカ部３を制御する。
【００２４】
ユーザは、このように「テレビがはじまります」等の音声が出力されることで、所望のテレビジョン放送番組の放送開始時刻が間近に迫ったことを認識し、後述するようにテレビジョン受像機を遠隔操作して当該テレビジョン放送を視聴し、或いは録画装置を遠隔操作して当該テレビジョン放送を録画する等の措置をとることとなる。
【００２５】
〔においセンサ〕
においセンサ１６は、所定のガス分子に対して反応するように特性が設定されている。一例ではあるが、このにおいセンサ１６が、タバコの煙のガス分子に反応するように特性が設定されていた場合、制御部２２は、このにおいセンサ１６により所定値以上の検出出力が検出されると、例えば「空気が汚れています」等の音声データをメモリ１３から読み出し、これをスピーカ部３を介して出力制御する。これにより、当該携帯電話機が置かれている部屋等にタバコの煙が多くなったタイミングで、スピーカ部３から「空気が汚れています」等の音声が出力されることとなる。ユーザは、このように「空気が汚れています」等の音声が出力されることで、当該携帯電話機が置かれている部屋等にタバコの煙が多くなったことを認識し、換気を行う等の措置をとることとなる。
【００２６】
同様に、このにおいセンサ１６が、アルコールのガス分子に反応するように特性が設定されていた場合、ユーザは、このセンサに対して呼気を吹きかける。制御部２２は、においセンサ１６により検出されるアルコール値に対応して、例えば「ほろ酔い状態です」、「かなり酔っています」等の音声データをメモリ１３から読み出し、これをスピーカ部３を介して出力制御する。これにより、ユーザは、現在の酔い加減を認識することができ、以後のアルコールの摂取を控える等の措置をとることとなる。
【００２７】
〔圧力センサ〕
各検出出力のうち、圧力センサ２０の検出出力のみが所定値以上の値を示していた場合、制御部２２は、当該携帯電話機に対して大きな圧力が継続して加わっていることを意味する。この場合、制御部２２は、例えば「苦しい」等の音声データをメモリ１３から読み出し、これをスピーカ部３を介して出力制御する。これにより、当該携帯電話機に対して圧力が継続して加わった際に、スピーカ部３から「苦しい」等の音声が出力されることとなる。そして、この音声を聴いたユーザは、圧力が加わらないように、当該携帯電話機を移動させる等の措置をとることとなる。
【００２８】
〔タッチセンサ〕
例えば、当該携帯電話機で指で擽った場合、この指で擽る動作に対応する検出出力が上記タッチセンサ２１から得られることとなる。また、当該携帯電話機で指で撫でた場合、この指で撫でる動作に対応する検出出力が上記タッチセンサ２１から得られることとなる。
【００２９】
このため、制御部２２は、タッチセンサ２１からの検出出力に基づいて、状況判別テーブル１４を参照することで、当該携帯電話機が「擽られている」、或いは「撫でられている」等の状況を判別し、例えば「くすぐったい」、「気持ちいい」等の音声をスピーカ部３を介して出力制御する。これにより、当該携帯電話機を人間のように反応させることができる。
【００３０】
〔赤外線センサ〕
赤外線センサ１８は、人体センサとして機能している。例えば、机の上等に載置されている当該携帯電話機にユーザが所定の距離内に近づいた場合、上記タッチセンサ２１から得られる検出出力は、指等が触れていない場合の検出出力が得られるのであるが、この赤外線センサ１８から人間が近づいたことを示す検出出力が得られることとなる。
【００３１】
このため、制御部２２は、上記タッチセンサ２１及び赤外線センサ１８からの各検出出力に基づいて、机の上等に載置されている当該携帯電話機にユーザが所定の距離内に近づいたものと判断し、例えば「ここです」等の音声をスピーカ部３を介して出力制御する。これにより、例えば暗闇の中等でも、ユーザは、この音声に基づいて当該携帯電話機の載置場所を探すことが可能となる。
【００３２】
〔音声認識動作〕
次に、当該実施の形態の携帯電話機は、ユーザの問い掛けに対して応答するようになっている。例えば、現在の時刻を知りたい場合、ユーザは、「今、何時？」との問い掛けを当該携帯電話機に対して行う。
【００３３】
このユーザからの問い掛けの音声は、マイクロホン部４により検出される。制御部２２は、マイクロホン部４により音声が検出されると、メモリ１３に記憶されている音声認識プログラムに基づいて音声解析処理を行い、この解析結果に対応する音声をスピーカ部３を介して出力制御する。この「今、何時？」との問い掛けがなされた例の場合、制御部２２は、タイマ１２から現在時刻を取り込み、この現在時刻に対応する例えば「現在、午前１０時３０分です」等の音声をスピーカ部３を介して出力制御する。これにより、ユーザは、当該携帯電話機と会話するかたちで、現在時刻を認識することができる。
【００３４】
同様に、例えば、現在の気温を知りたい場合、ユーザは、「今、何度？」との問い掛けを当該携帯電話機に対して行う。制御部２２は、前述のように音声認識プログラムに基づいて音声解析処理を行うことで、この問い掛けの意味を理解すると、温度センサ１５から現在の気温を取り込むと共に、湿度センサから現在の湿度を取り込み、例えば「現在、気温２５度、湿度５０％です」等の音声をスピーカ部３を介して出力制御する。これにより、ユーザは、当該携帯電話機と会話するかたちで、現在の気温及び湿度を認識することができる。
【００３５】
〔外部機器の遠隔操作〕
次に、当該実施の形態の携帯電話機は、上記マイクロホン部４を介して検出した音声に対応して、例えばエアコンディショナ装置やテレビジョン受像機等の外部機器の遠隔操作が可能となっている。
【００３６】
この場合、ユーザは、例えばエアコンディショナ装置、テレビジョン受像機、録画装置等の外部機器を、「遠隔操作を行う外部機器」として予め登録する。この登録は、外部機器の機種をメモリ１３に予め登録されている機種の中から選択し、或いは所定のＷｅｂサイトから該機種を示す情報をダウンロードしてメモリ１３に登録すると共に、予めメモリ１３に記憶されている制御コマンドの中から、この登録した機種に対応する制御コマンドを選択し、或いは所定のＷｅｂサイトから該制御コマンドをダウンロードしてメモリ１３に登録する。これにより、以後、このメモリ１３に登録（選択）した外部機器の遠隔操作が可能となる。
【００３７】
例えば、上述のスケジュールの監視により、テレビジョン放送番組の放送開始時刻を検出することで「テレビがはじまります」等の音声を出力制御した場合、制御部２２は、この音声に続けて例えば「テレビの電源を入れますか？」、「録画予約をしますか？」等の外部機器を遠隔操作するか否かを問うメッセージをスピーカ部３を介して出力制御し、或いは表示部５を介して表示制御する。
【００３８】
この「テレビの電源を入れますか？」とのメッセージに対応してユーザが例えば「電源オン」等の音声を発した場合、制御部２２は、マイクロホン部４で検出されるこの音声を上記音声認識プログラムに基づいて解析して語意を認識する。そして、制御部２２は、メモリ１３に記憶されている遠隔操作プログラムに基づいて、上述のように外部機器として予め登録されたテレビジョン受像機の電源をオン制御するための制御コマンドを該メモリ１３から読み出し、これを近距離無線通信アンテナ１０及び近距離無線通信ユニット１１を介して近距離無線送信制御する。
【００３９】
これにより、ブルートゥース（Bluetooth：登録商標）や赤外線通信（IrDA：Infrared Data Association）等により、上記制御コマンドが当該携帯電話機からテレビジョン受像機側に近距離無線送信されることとなる。そして、この制御コマンドにより、テレビジョン受像機の電源がオン制御され、ユーザは所望のテレビジョン放送番組を鑑賞することとなる。
【００４０】
同様に、上記「録画予約をしますか？」とのメッセージに対応してユーザが例えば「録画」等の音声を発した場合、制御部２２は、この語意を上記音声認識プログラムに基づいて解析して認識する。そして、制御部２２は、メモリ１３に記憶されている遠隔操作プログラムに基づいて、上述のように外部機器として予め登録されたハードディスクレコーダ装置等の録画機器に対して録画設定をするための制御コマンドを該メモリ１３から読み出し、これを近距離無線通信アンテナ１０及び近距離無線通信ユニット１１を介して近距離無線送信制御する。
【００４１】
これにより、上記制御コマンドが当該携帯電話機から録画機器側に近距離無線送信され、この制御コマンドにより、上記スケジュール帳に登録しておいたテレビジョン放送番組の録画設定がなされることとなる。
【００４２】
他の例としては、上記「暑い」或いは「寒い」との音声を出力制御した場合、制御部２２は、この音声に続けて例えば「エアコンの電源を入れますか？」等の外部機器を遠隔操作するか否かを問うメッセージをスピーカ部３を介して出力制御し、或いは表示部５を介して表示制御する。
【００４３】
この「エアコンの電源を入れますか？」とのメッセージに対応してユーザが例えば「電源オン」等の音声を発すると、制御部２２は、この音声の語意を上記音声認識プログラムに基づいて解析して認識する。そして、制御部２２は、メモリ１３に記憶されている遠隔操作プログラムに基づいて、上述のように外部機器として予め登録されたエアコンディショナ装置の電源をオン制御するための制御コマンドを該メモリ１３から読み出し、これを近距離無線通信アンテナ１０及び近距離無線通信ユニット１１を介して近距離無線送信制御する。これにより、この制御コマンドにより、エアコンディショナ装置の電源がオン制御され、ユーザは快適な室温を得ることとなる。
【００４４】
〔緊急通報動作〕
次に、この携帯電話機の場合、当該携帯電話機に所定の値以上の衝撃が加わった場合に、予め指定しておいた緊急連絡先に自動的に連絡するようになっている。
【００４５】
この場合、ユーザは、上記メモリ１３に「緊急連絡先」となるユーザの電子メールアドレスや電話番号を予め登録しておく。制御部２２は、加速度センサ２１で所定値以上の衝撃が検出されることで「痛い」との音声を出力制御すると、この場合、ユーザの体にも衝撃が加わっている可能性があるため、「大丈夫ですか？」等のユーザの無事を確認する問い掛けを行う。ユーザは、この問い掛けに対して、無事であれば「大丈夫」や「無事です」等の無事を意味する音声を発する。制御部２２は、このユーザの無事を示す音声が認識できた場合には、上記「緊急連絡先」に対する連絡制御は行わず、上記各センサ１５〜２１からの各検出出力の監視を継続して実行する。
【００４６】
しかし、この「大丈夫ですか？」等のユーザの無事を確認するための問い掛けに対してユーザからの応答がない場合、制御部２２は、当該携帯電話機のユーザが衝撃を受けたことを示す電子メールや、ユーザの緊急時を示す電子メール等を作成し、この電子メールを、「緊急連絡先」としてメモリ１３に予め登録されている電子メールアドレスに対して送信するように通信回路２を制御する。或いは、制御部２２は、「緊急連絡先」としてメモリ１３に予め登録されている電話番号に電話を掛けるように通信回路２を制御し、通信回線が確立された際に、当該携帯電話機のユーザが衝撃を受けたことを示す音声メッセージや、ユーザの緊急時を示す音声メッセージを送信制御する。これにより、上記「緊急連絡先」となるユーザに対して、当該携帯電話機のユーザが衝撃を受けたことや該ユーザの緊急時を自動的に知らせることができる。
【００４７】
［実施の形態の効果］
以上の説明から明らかなように、本発明の実施の形態となる携帯電話機は、当該携帯電話機に衝撃や圧力が加わった場合や水に濡れた場合等の、故障に繋がるような状況を検出してユーザに警告することができる。このため、当該携帯電話機が故障に至る前に、該故障に至る状況を回避可能とすることができる。
【００４８】
また、当該携帯電話機を擽ったり、問い掛けに対して音声等で反応するため、当該携帯電話機を友人やペットのような感覚で取り扱い可能とすることができる。
【００４９】
また、当該携帯電話機がユーザの体から離れた場所に載置されている場合に、ユーザが近づくと例えば「ここです」等の音声を出力するため、例えば暗闇の中等でも、ユーザは、この音声に基づいて当該携帯電話機の載置場所を探すことを可能とすることができる。
【００５０】
また、当該携帯電話機に対する所定値以上の衝撃を検出した場合、ユーザに対して無事を問い、この問いに対して応答が無い場合に、予め登録されている「緊急連絡先」に対して電子メールや電話で自動的に連絡するようになっている。これにより、例えば当該携帯電話機のユーザが子供であり、上記緊急連絡先がこの子供の親である場合、子供の緊急を親に対して自動的に連絡可能とすることができる。
【００５１】
［変形例］
上述の実施の形態の説明では、本発明を携帯電話機に適用することとしたが、本発明は、この携帯電話機の他、ＰＨＳ電話機（PHS：Personal Handyphone System）、ＰＤＡ装置（PDA：Personal Digital Assistant）、ノート型のパーソナルコンピュータ装置等の他の携帯端末装置に適用してもよい。この場合でも、上述と同様の効果を得ることができる。
【００５２】
最後に、本発明は、本発明の一例として開示したに過ぎない上述の実施の形態に限定されることはなく、本発明に係る技術的思想を逸脱しない範囲であれば、上述の実施の形態以外であっても設計等に応じて種々の変更が可能であることは勿論であることを付け加えておく。
【図面の簡単な説明】
【００５３】
【図１】本発明を適用した実施の形態となる携帯電話機のブロック図である。
【図２】実施の形態の携帯電話機の状況対応動作を説明するためのフローチャートである。
【図３】実施の形態の携帯電話機に設けられている状況判別テーブルの模式図である。
【符号の説明】
【００５４】
１  アンテナ、２  通信回路、３  スピーカ部、４  マイクロホン部、５  表示部、６  操作部、７  発光部（ＬＥＤ）、８  カメラ部、９  バイブレーションユニット、１０  近距離無線通信アンテナ、１１  近距離無線通信ユニット、１２  タイマ、１３  メモリ、１４  状況判別テーブル、１５  温度センサ、１６  においセンサ、１７  湿度センサ、１８  赤外線センサ、１９  加速度センサ、２０  圧力センサ、２１  タッチセンサ、２２  制御部
【図１】
2007135008.tif 000003
【図２】
2007135008.tif 000004
【図３】
2007135008.tif 000005